(57)【要約】      （修正有）【課題】髪が受けたダメージをより効果的に修復することができるヘアドライヤを提供する。【解決手段】吹出口及び吸入口を有する本体ケースと、前記本体ケースの内部に形成された風通路と、前記風通路に風を送る送風装置と、ヒータとを備えたヘアドライヤであって、前記風通路中に配置され、ミストを発生するミスト発生装置と、前記風通路中で前記ミスト発生装置と前記吹出口との間に配置され、コラーゲン、タンパク質、ムコ多糖、エラスチン、ケラチン、ビタミン類の少なくとも一つである美容成分が付着した美容成分付着部材とを備え、前記風通路を流れる風とミストにより、前記美容成分を前記美容成分付着部材から剥離させて前記吹出口から吹き出す。【選択図】図１
2018030015.tif 000002
【特許請求の範囲】
【請求項１】
吹出口及び吸入口を有する本体ケースと、前記本体ケースの内部に形成された風通路と、前記風通路に風を送る送風装置と、ヒータとを備えたヘアドライヤであって、
前記風通路中に配置され、ミストを発生するミスト発生装置と、
前記風通路中で前記ミスト発生装置と前記吹出口との間に配置され、コラーゲン、タンパク質、ムコ多糖、エラスチン、ケラチン、ビタミン類の少なくとも一つである美容成分が付着した美容成分付着部材とを備え、
前記風通路を流れる風とミストにより、前記美容成分を前記美容成分付着部材から剥離させて前記吹出口から吹き出させるヘアドライヤ。
【請求項２】
前記美容成分付着部材が本体ケースから着脱自在に構成されている請求項１に記載のヘアドライヤ。
【請求項３】
前記美容成分付着部材は、不織布で構成されている請求項１又は２に記載のヘアドライヤ。
【発明の詳細な説明】
【技術分野】
【０００１】
本発明は、髪の乾燥やセットを行うためのヘアドライヤに関する。
【背景技術】
【０００２】
一般に、濡れた髪の乾燥や髪型のセットを行う際にヘアドライヤが使用される。従来から知られているヘアドライヤは、温風又は冷風を吹出口から吹き出すように構成されている。近年は、単に温風又は冷風を吹き出すだけではなく、ヘアドライヤの本体ケースの内部においてミストを発生させて、温風又は冷風とともにそのミストを吹き出すヘアドライヤもある。
ヘアドライヤに用いられているミストの発生機構は種々知られており、ミストを生成する際に用いられる液体を供給する構造に関しても複数種類のタイプが存在する。液体を供給する構造のタイプとしては、例えば、本体ケース内に設けたタンクに予め液体を貯蔵するタイプや（例えば、特許文献１）、ペルチェ素子により空気中の水分を結露させて生成した水滴を用いるタイプが従来から知られている（例えば、特許文献２）。
【先行技術文献】
【特許文献】
【０００３】
【特許文献１】特開２００６−８７８３６号公報
【特許文献２】特開２００９−２６１５１４号公報
【発明の概要】
【発明が解決しようとする課題】
【０００４】
上記した特許文献１，２に記載されたヘアドライヤは、単に冷風や温風を吹き出すように構成された従来のヘアドライヤに比べて、単に髪を乾燥させるだけではなく、髪に艶や潤いを与えることができた。しかし、このようなヘアドライヤを用いた場合であっても、毛髪の表面におけるキューティクルの剥離等が発生し、結果として髪がパサつく、髪がまとまらない、又は髪の艶がなくなるということが発生することがあった。特に、近年は、様々なバリエーションのヘアスタイルが流行しており、それに伴い、髪の色を染め替えるヘアカラーを行ったり、ヘアブローを長時間行うことにより種々のヘアアレンジをする機会も多くなっている。そのため、上記したようなヘアドライヤを用いた場合であっても、上記したキューティクルの剥離等を効果的に解消して髪が受けたダメージを修復することが難しいという問題があった。
【０００５】
本発明は、上記した問題点に鑑みてなされたものであり、髪が受けたダメージをより効果的に修復することができるヘアドライヤを提供することを目的とする。
【課題を解決するための手段】
【０００６】
本発明は、吹出口及び吸入口を有する本体ケースと、前記本体ケースの内部に形成された風通路と、前記風通路に風を送る送風装置と、ヒータとを備えたヘアドライヤであって、前記風通路中に配置され、ミストを発生するミスト発生装置と、前記風通路中で前記ミスト発生装置と前記吹出口との間に配置され、コラーゲン、タンパク質、ムコ多糖、エラスチン、ケラチン、ビタミン類の少なくとも一つである美容成分が付着した美容成分付着部材とを備え、前記風通路を流れる風とミストにより、前記美容成分を前記美容成分付着部材から剥離させて前記吹出口から吹き出す。
【図面の簡単な説明】
【０００７】
【図１】本発明の実施の形態に係るヘアドライヤの外観構成を示す斜視図である。
【図２】（ａ）図は、本実施の形態に係るヘアドライヤの収納部付近の構成を示す部分拡大斜視図であり、（ｂ）図は、美容成分収容部材の構成を示す分解斜視図である。
【図３】（ａ）図は、本実施の形態に係るヘアドライヤにおける本体部の部分の縦断面図であり、（ｂ）図は、収納部付近の縦断面図である。
【図４】本実施の形態に係るヘアドライヤの電気ブロック図である。
【発明を実施するための形態】
【０００８】
本発明に係るヘアドライヤの構成を以下において具体的に説明する。なお、本明細書においては、ヘアドライヤの本体ケース内に配置されている各種装置等から見て吸入口へ向かう方向を「上流側」と言い、各種装置等から見て吹出口へ向かう方向を「下流側」と言うものとする。また、本明細書においては、水分等が電離して生成されたものの他に、空気中の浮遊物が帯電したものを含めて「イオン」と言うものとする。
【０００９】
ヘアドライヤ１は、本体部２と、本体部２に対して所定の角度をなすように設けられたグリップ部３とを備えている。本体部２は、本体ケース４、送風装置５、ヒータ、ミスト発生装置７及びイオン発生装置等を備えている。本体ケース４は、一端に吸入口１１を備え、他端に吹出口１２を備えており、これら吸入口１１及び吹出口１２の間に風通路が形成されている。吹出口１２は、第１吹出口１３及び第２吹出口１４を有しており、風通路は、吸入口１１及び第１吹出口１３の間に形成された第１風通路１５と、吸入口１１及び第２吹出口１４の間に形成された第２風通路１６とからなる。本体ケース４内においては、これら第１風通路１５と第２風通路１６とを区画するための区画壁１７が設けられている。
【００１０】
本体ケース４には、後述する美容成分収容部材２１を着脱自在に収納するための収納部１８が形成されている。この収納部１８は、第２風通路１６中でミスト発生装置７と吹出し口１２との間において、美容成分収容部材２１を収納可能な大きさに形成されており、本体ケース４の上部には開口部１９が形成されている。この開口部１９には、開閉蓋２０が開閉自在に取り付けられており、該開閉蓋２０が閉じている時は開口部１９が該開閉蓋２０によって閉塞されて収納部１８が本体ケース４の外部から視認できないようになっている。この収納部１８は、美容成分収容部材２１が収納された時に、該美容成分収容部材２１が第２風通路１６中に配置される位置に形成されている。また、収納部１８には、美容成分収容部材２１が収納された時に、この美容成分収容部材２１が収納された状態を維持するための図示しないロック部が形成されている。また、収納部１８は、美容成分収容部材２１が収納部１８に収納された時は、第２風通路１６を流れる風が、美容成分収容部材２１を通過して流れる風と、美容成分収容部材２１の外を流れる風とに分流されるように構成されている。
【００１１】
送風装置５は、駆動モータ２２と、駆動モータ２２の駆動軸先端に取り付けられたファン２３とを備えており、駆動モータ２２の駆動によりファン２３が回転駆動し、吸入口１１から外気を吸入し、第１風通路１５及び第２風通路１６を経て第１吹出口１３及び第２吹出口１４から吹き出すための風を発生させる。ヒータは、送風装置５で発生させた風を加熱するためのもので、第１ヒータ２４及び第２ヒータ２５を備えている。これら送風装置５並びに第１ヒータ２４及び第２ヒータ２５は、従来から公知のものを任意に選択して適用してよい。なお、本実施の形態では、第１ヒータ２４及び第２ヒータ２５というように複数のヒータを用いてヒータを構成しているが、ヒータの構成及び数はこれに限定されるものではない。
【００１２】
ミスト発生装置７は、第２風通路１６に配置されており、一方の面を放熱面２７とし、他方の面を吸熱面２８としたペルチェ素子２９と、ペルチェ素子２９の放熱面２７側に設けられた放熱フィン３０と、ペルチェ素子２９の吸熱面２８側に設けられた接地電極３１と、この接地電極３１に対して所定の間隔をあけて対向配置した針状の放電電極３２を備えている。接地電極３１は、ヘアドライヤ１の図示しない接地端子に接続されており、放電電極３２は、図示しない高電圧発生装置に接続されている。
【００１３】
イオン発生装置は、第１イオン発生装置３３及び第２イオン発生装置３４から構成されている。第１イオン発生装置３３は、第１風通路１５中において第１吹出口１３の近傍に配置されている。第１イオン発生装置３３は、針状に形成された３つの図示しない第１電極が第１風通路１５中に配置されている。これら第１電極は、図示しない高電圧発生装置に接続されており、ヘアドライヤ１の稼働時には例えば２〜３ｋＶ程度の電圧が印加されるように構成されている。第２イオン発生装置３４は、第２風通路１６中において第２吹出口１４の近傍であってミスト発生装置７と隣接する位置に配置されている。第２イオン発生装置３４は、針状に形成された２つの第２電極が第２風通路１６中に配置されている。これら第２電極は、図示しない高電圧発生装置に接続されており、ヘアドライヤ１の稼働時には、例えば例えば２〜３ｋＶ程度の電圧が印加されるように構成されている。また、これら第２電極に印加される電圧は、本体ケース４に取り付けられているイオン発生量切換スイッチ３６を調節することで任意に変化させることができ、これにより第２イオン発生装置３４においてマイナスに帯電したマイナスイオンの発生量を調節することができるように構成されている。
【００１４】
また、図１に示すように、本体部２には、冷温切換スイッチ３５及びイオン発生量切換スイッチ３６が設けられている。冷温切換スイッチ３５は、吹出口１２から吹き出される風を冷風と温風のいずれかに切り換えるためのもので、「ＯＦＦ」にすると温風を吹き出し、「ＯＮ」にすると冷風を吹き出すよう切り換えられる。また、イオン発生量切換スイッチ３６は、第２イオン発生装置３４において発生させるマイナスイオンの発生量を調節するためのものである。このイオン発生量切換スイッチ３６は、本実施の形態ではダイヤル式のスイッチを使用しており、使用者がマイナスイオンの発生量を任意に調整することができるように構成されているが、これに限定されるものではない。例えば、ダイヤル式以外の構成を有するスイッチを用いてもよい。
【００１５】
グリップ部３は、使用者がヘアドライヤ１を使用する時に該ヘアドライヤ１を持つことができるように構成されている。このグリップ部３には、風量切換スイッチ３７及び温度切換スイッチ３８が設けられている。風量切換スイッチ３７は、ヘアドライヤ１の吹出口１２から吹き出される風量を切り替えるためのもので、吹出口１２から風を吹き出さない（即ち、停止状態にある）「ＯＦＦ」、吹出口１２から所定の風量の風を吹き出す「ＣＡＲＥ」モード、ＣＡＲＥモードよりも大きな風量の風を吹き出す「ＤＲＹ」モード、及びＤＲＹモードよりも大きな風量の風を吹き出す「ＴＵＲＢＯ」モードに切り換えることができるように構成されている。また、温度切換スイッチ３８は、冷温切換スイッチ３５が「ＯＦＦ」の時に、吹出口１２から吹き出される温風の温度を調節するためのものである。例えば、「ＳＣＡＬＰ」に温度切換スイッチ３８が切り換えられている場合には、吹出す温風の温度は約６０℃に設定される。また、温度切換スイッチ３８が「ＨＯＴ」に切り換えられている場合には、温風の温度は約１２０℃に設定される。
【００１６】
次に、美容成分収容部材２１の構成について説明する。図２（ａ）に示すように、美容成分収容部材２１は、本体ケース４の収納部１８に着脱自在に収納することができるように形成されている。また、図２（ａ）及び図２（ｂ）に示すように、美容成分収容部材２１は、ケース部材４１と、このケース部材４１の中に収容されるベース部材４２とを備えている。ケース部材４１は、第１ケース部材４３と第２ケース部材４４とに分割することができるように構成されており、これら第１ケース部材４３と第２ケース部材４４とを組み合わせることにより、ベース部材４２を内部に収容することができるように構成されている。また、ケース部材４１には、美容成分収容部材２１の本体ケース４への着脱を容易にするための着脱部４５が形成されている。着脱部４５は、ヘアドライヤ１の使用者等が美容成分収容部材２１を収納部１８から取り出す時に、該使用者等が美容成分収容部材２１を取り出し易くするためのものである。この着脱部４５は、本実施の形態では、互いに対向する縁部に対して凹状に形成される凹部として形成されている。なお、着脱部４５の形状は、使用者等が美容成分収容部材２１を取り出し易くすることができれば、凹部以外の形状であってもよい。
【００１７】
第１ケース部材４３は、第２風通路１６を流れる風が通過可能な第１風通過孔４６が開口形成されている。また、第１ケース部材４３は、第２ケース部材４４と組み合わせた時に該第２ケース部材４４と係合するための係合部４７が形成されている。また、第１ケース部材４３には、着脱部４５を構成する第１着脱部４８が凹状に形成されている。本実施の形態では、第１風通過孔４６は、六角形状の孔が多数開口形成されることで形成されているが、第１風通過孔４６の形状はこれに限定されるものではない。
【００１８】
第２ケース部材４４は、第２風通路１６を流れる風が通過可能な第２風通過孔４９が開口形成されている。また、第２ケース部材４４には、第１ケース部材４３に形成された係合部４７と係合するための係合受け部５０が形成されている。また、第２ケース部材４４には、着脱部４５を構成する第２着脱部５１が凹状に形成されている。本実施の形態では、第２風通過孔４９は、六角形状の孔が多数開口形成されることで形成されているが、第２風通過孔４９の形状はこれに限定されるものではなく、また第１風通過孔４６の形状と同一の形状でなくてもよい。
【００１９】
ベース部材４２は、後述する美容成分を添着させるためのものである。ベース部材４２は、複数の繊維部材を絡ませる等して構成されたシート状の部材である。繊維部材としては、例えば、綿、羊毛、麻、パルプ、絹等をはじめとする天然繊維、ナイロン、レーヨン、ポリエステル、ポリプロピレン、セルロース、アクリル繊維、アラミド繊維、ポリエチレンテレフタレート等をはじめとする化学繊維、その他ガラス繊維、カーボン繊維、セラミックス繊維等を用いることができる。これらの中でも、生産性、耐摩耗性、耐熱性の観点からポリエチレンテレフタレートを用いることが好ましい。また、ベース部材４２としては、上記した各種繊維を用いた織布や不織布等を用いることができる。本実施の形態では、ベース部材４２の例として、不織布を用いた例を用いて説明する。なお、不織布とは、繊維を一定方向又は／及びランダムに集積して繊維同士を結合させたり絡ませたりすることによりシート状に形成されたものである。
【００２０】
ベース部材４２は、構成する各繊維と繊維との間に美容成分を添着させることができるように構成されている。ここで、「添着」とは、ベース部材４２を構成する繊維と繊維との間に美容成分を絡ませたり、繊維と繊維との間に美容成分が挟まる等して、該美容成分がベース部材４２に付着した状態、及び／又はベース部材４２を構成する繊維の表面部分に美容成分が付着した状態を指す。
【００２１】
美容成分は、保湿性等を有するもので形成されている。例えば、美容成分としては、保湿性を有するものとして、タンパク質、ムコ多糖、コラーゲン、エラスチン、ケラチン、ビタミン類等が挙げられる。なお、美容成分としては、上記した以外のものも任意に選択して用いることができるが、毛髪等における保湿性等を向上させてキューティクルの痛みを回復させる等の観点から、美容成分としてはコラーゲンを用いることが好ましい。
【００２２】
ベース部材４２は、シート状に形成されており、第２風通路１６を流れる風が通過できるものであれば特にその形状は任意に選択してよいが、風を通過させやすくすると共に、後述する美容成分収容部材２１の上流側に設けられたミスト発生装置７で発生するミスト及び風を接触しやすくする趣旨で、風が通過する領域を確保しつつベース部材４２と風との接触面積を大きくすることが好ましい。この趣旨で、ベース部材４２の形状としては、複数の折り畳み部を有する折り畳み形状、即ち蛇腹状であることが好ましい。
【００２３】
次に、本実施の形態に係るヘアドライヤ１の電気的構成について説明する。図４に示すように、ヘアドライヤ１は、制御部６１を有しており、この制御部６１にて該ヘアドライヤ１の総括的な制御を行っている。制御部６１の入力端側には、風量切換スイッチ３７、冷温切換スイッチ３５、温度切換スイッチ３８及びイオン発生量切換スイッチ３６が電気的に接続されている。また、制御部６１の出力端側には、ミスト発生装置７、第１イオン発生装置３３、第２イオン発生装置３４、駆動モータ２２、第１ヒータ２４及び第２ヒータ２５が電気的に接続されている。また、制御部６１をはじめとするヘアドライヤ１の駆動は、図示しない外部電源から電力の供給を受けることで行われる。
【００２４】
風量切換スイッチ３７は、上記した通り、「ＯＦＦ」、「ＣＡＲＥ」、「ＤＲＹ」、「ＴＵＲＢＯ」というように、風量を４つの段階に切り換えることができるように構成されている。制御部６１は、風量切換スイッチ３７が「ＯＦＦ」の時は、駆動モータ２２、ミスト発生装置７、第１イオン発生装置３３及び第２イオン発生装置３４を停止させる。また、制御部６１は、風量切換スイッチ３７が「ＣＡＲＥ」、「ＤＲＹ」、「ＴＵＲＢＯ」の時は、各モードに対応する風量を発生させるように駆動モータ２２の回転駆動制御を行う。さらに制御部６１は、風量切換スイッチ３７が「ＣＡＲＥ」、「ＤＲＹ」、「ＴＵＲＢＯ」の時にはミスト発生装置７、第１イオン発生装置３３及び第２イオン発生装置３４も駆動させるように制御する。この場合、制御部６１は、ミスト発生装置７及び第１イオン発生装置３３に対しては所定の電圧を各電極に印加するように制御を行い、第２イオン発生装置３４に対しては、イオン発生量切換スイッチ３６により調節された大きさに対応する電圧を電極に印加するように制御を行う。即ち、制御部６１は、風量切換スイッチ３７の切り換えによって駆動モータ２２を回転駆動させるように制御をすると、それに併せてミスト発生装置７及び第２イオン発生装置３４に対して所定の電圧を印加するように制御し、第２イオン発生装置３４に対してはイオン発生量切換スイッチ３６により設定された量に対応する電圧を印加するように制御する。したがって、制御部６１が第２イオン発生装置３４に対して印加する電圧の大きさはイオン発生量切換スイッチ３６により変化させることができるように構成されている。
【００２５】
冷温切換スイッチ３５は、第１吹出口１３及び第２吹出口１４から吹き出される風を冷風にする「ＯＮ」と、第１吹出口１３及び第２吹出口１４から吹き出される風を温風とする「ＯＦＦ」との間で切り換えることができるように構成されている。制御部６１は、冷温切換スイッチ３５が「ＯＮ」の時は、第１ヒータ２４及び第２ヒータ２５への電力の供給を遮断するように制御する。また、制御部６１は、冷温切換スイッチ３５が「ＯＦＦ」の時は、温度切換スイッチ３８の切換状態に対応して、第１ヒータ２４のみ、又は第１ヒータ２４及び第２ヒータ２５のいずれにも電力を供給するように制御する。
【００２６】
温度切換スイッチ３８は、上記した通り、「ＳＣＡＬＰ」又は「ＨＯＴ」に切り換えることができるように構成されている。制御部６１は、冷温切換スイッチ３５が「ＯＦＦ」であって、温度切換スイッチ３８が「ＳＣＡＬＰ」に切り換えられている場合には、第１ヒータ２４に電力を供給して該第１ヒータ２４が加熱状態にあるように制御する。また、制御部６１は、冷温切換スイッチ３５が「ＯＦＦ」であって、温度切換スイッチ３８が「ＨＯＴ」に切り換えられている場合には、第１ヒータ２４及び第２ヒータ２５に電力を供給して、これら第１ヒータ２４及び第２ヒータ２５が加熱状態にあるように制御する。
【００２７】
次に、本実施の形態に係るヘアドライヤ１の作用効果について説明する。まず、使用者が風量切換スイッチ３７を「ＯＦＦ」から「ＣＡＲＥ」、「ＤＲＹ」、「ＴＵＲＢＯ」のいずれかに切り換えると、制御部６１は駆動モータ２２の駆動を開始させる。駆動モータ２２が駆動を開始すると、駆動軸の先端に取付固定されたファン２３が回転駆動する。ファン２３が回転駆動を開始すると、吸入口１１から外気が吸入される。そして、本体ケース４内に吸入された気体は、所定の流速を有する風となって第１風通路１５を流れて第１吹出口１３から吹き出されると共に、第２風通路１６を流れて第２吹出口１４から吹き出される。なお、ここでは、説明の便宜上、冷温切換スイッチ３５は「ＯＮ」として冷風が吹き出され、イオン発生量切換スイッチ３６の操作はヘアドライヤ１が駆動している間には行われないものとして説明する。
【００２８】
制御部６１は、風量切換スイッチ３７が操作されると、その操作と連動して第１イオン発生装置３３にも電力を供給して第１イオン発生装置３３の駆動を開始する。第１イオン発生装置３３では、３つの第１電極に所定の電圧が印加される。この時、第１風通路１５は風が流れており、この風によって流される気体中の水分や、気体中に存在する塵等のような浮遊物等が第１電極付近において電気的にマイナスに帯電したマイナスイオンとなる。そして、マイナスイオンは、マイナスイオンとはならなかった水分や浮遊物等と共に第１風通路１５を流れる風の力を受けて流れ、第１吹出口１３から吹き出される。
【００２９】
また、制御部６１は、風量切換スイッチ３７が操作されると、その操作と連動して第２イオン発生装置３４にも電力を供給して第２イオン発生装置３４の駆動を開始する。第２イオン発生装置３４では、２つの第２電極に対して、イオン発生量切換スイッチ３６により調整された電圧が印加される。この時、第２風通路１６は風が流れており、この風によって流される気体中の水分や、空気中に存在する塵等のような浮遊物等が第２電極付近において電気的にマイナスに帯電したマイナスイオンとなる。そして、マイナスイオンは、マイナスイオンとはならなかった水分や浮遊物等と共に第２風通路１６を流れる風の力を受けて流れ、第２吹出口１４から吹き出される。
【００３０】
また、制御部６１は、風量切換スイッチ３７が操作されると、その操作と連動してミスト発生装置７の放電電極３２に所定の電圧が印加される。この時、第２風通路１６には風が流れており、この風によって放熱フィン３０が冷却される。放熱フィン３０が冷却されると、ペルチェ素子２９の放熱面２７と吸熱面２８との間に温度差が生じ、吸熱面２８の表面に結露が生じる。結露が生じると、該結露によって生成された水分が放電電極３２によって微細化され、ミストが生成される。生成されたミストは、第２風通路１６を流れる風に乗って共に流れ、ミスト発生装置７の下流に設けられている美容成分収容部材２１に到達する。
【００３１】
美容成分収容部材２１に到達したミストは、第１ケース部材４３の第１風通過孔４６又は第２ケース部材４４の第２風通過孔４９のうち、いずれか上流側に位置する通過孔を通過して、ベース部材４２に到達する。ここで、ミストは、ベース部材４２に添着している美容成分と結合し、ミストと美容成分との結合体となって、第１ケース部材４３の第１通過孔又は第２ケース部材４４の第２風通過孔４９のうちのいずれか下流側に位置する通過孔を通過して第２吹出口１４から吹き出される。なお、この時、第２風通路１６において結合体が生成され、この結合体を含む風が流れる流路は、第２イオン発生装置３４を経由して、第２イオン発生装置３４において生成されたマイナスイオンを含む風が流れる流路とは別個の流路となるように形成されている。そのため、結合体を含む風とマイナスイオンを含む風とは、第２吹出口１４においてそれぞれ異なる場所から吹き出される。
【００３２】
このように、本発明に係るヘアドライヤ１は、ミスト発生装置７において発生したミストと美容成分とが結合した結合体を第２吹出口１４から吹き出すので、使用者が使用する際、毛髪や頭皮等に対して、ミスト以外の美容成分を供給することができる。したがって、毛髪の表面におけるキューティクルの剥離等のような髪のダメージをより効果的に修復し、さらには髪の保湿もより効果的に行うことができる。特に、本発明に係るヘアドライヤ１は、使用者が使用する毎にミストと美容成分を髪に供給することができるので、使用し続けることでキューティクルをより引き締めることができ、ブラッシングや温風による加熱等によるダメージを抑え、髪をより保湿性の高い状態に維持することができる。また、頭皮における皮脂の発生を抑制して毛穴を清潔な状態に保つことができる。さらにヘアカラーを行った場合の退色も抑制でき、染めた髪の色を長期間に亘って維持することもできる。また、本発明に係るヘアドライヤ１では、ミストとして空気中の水分等を使用するため、環境にも配慮したヘアドライヤ１を提供することができる。
【００３３】
また、本発明に係るヘアドライヤ１は、上記したミストと美容成分を髪や頭皮に供給するだけではなく、第２吹出口１４から吹き出されるマイナスイオンや、第１吹出口１３から吹き出されるマイナスイオンを髪や頭皮に供給することができる。したがって、髪のキューティクルをさらにより引き締めることができ、さらにより保湿性の高い状態を維持することができる。
【００３４】
また、本発明に係るヘアドライヤ１は、美容成分収容部材２１が本体ケース４から着脱自在に構成されているので、美容成分収容部材２１を交換することで、上記した性能を維持しつつ、長期間に亘ってヘアドライヤ１を使用することもできる。また、本発明に係るヘアドライヤ１は、ベース部材４２に美容成分を添着させているので、ミストと美容成分とが結合した結合体を容易に生成しやすく、さらにはこの結合体を第２吹出口１４から吹出し易くすることができる。したがって、本発明に係るヘアドライヤ１は、美容成分をより髪や頭皮に供給しやすくすることができる。さらに、本発明に係るヘアドライヤ１は、ベース部材４２を折り畳み形状に形成することで、ミストと美容成分とをより結合する割合を大幅に増加することができ、さらによりミストと美容成分との結合体を髪や頭皮に供給することができ、上記した髪や頭皮に対する効果をさらにより向上させることができる。
【００３５】
以上、本発明に係るヘアドライヤについて詳細に説明したが、上記したのは本発明に係るヘアドライヤの例であり、これに限定されるものではなく、本発明の趣旨を逸脱しない範囲において適宜変更してもよい。
【符号の説明】
【００３６】
１  ヘアドライヤ
２  本体部
４  本体ケース
５  送風装置
６  ヒータ
７  ミスト発生装置
８  イオン発生装置
１１  吸入口
１２  吹出口
１３  第１吹出口
１４  第２吹出口
１５  第１風通路
１６  第２風通路
１８  収納部
２１  美容成分収容部材
２４  第１ヒータ
２５  第２ヒータ
３３  第１イオン発生装置
３４  第２イオン発生装置
４１  ケース部材
４２  ベース部材
４３  第１ケース部材
４４  第２ケース部材
【図１】
2018030015.tif 000003
【図２】
2018030015.tif 000004
【図３】
2018030015.tif 000005
【図４】
2018030015.tif 000006